(57)【要約】【課題】雨水貯留タンクから延びるオーバーフロー用の排水ホースを排水管に容易に接続可能であり、排水ホースの接続状態を良好に保持することができ、しかも排水ホースからスムーズに排水することができる、排水ホース接続継手を提供すること。【解決手段】上下に開放された筒状の本体２の内部に上下方向に連通する排水部４が形成され、排水部の上端部に竪樋の一端部に接続可能な竪樋接続部５が配設され、排水部の下端部に排水管の一端部に接続可能な排水管接続部９が配設され、本体の側部に排水ホースの一端部が接続可能な排水ホース接続部３が接続され、排水ホース接続部の内部１３に筒状の内筒が配設され、排水ホース接続部の内部に挿入される排水ホースの一端部が、その内側に挿入される内筒と、内筒に対向して位置する排水ホース接続部の外郭部１７とによって保持される。【選択図】図１
2011047180.tif 000002
【特許請求の範囲】
【請求項１】
竪樋より受水路を介して雨水を受水する雨水貯留タンクと、雨水貯留タンクからのオーバーフロー水を排水する溢水路とを有する雨水利用システムに組み込まれる排水ホース接続継手であって、
上下に開放された筒状の本体の内部に上下方向に連通する排水部が形成され、
排水部の上端部に竪樋の一端部に接続可能な竪樋接続部が配設され、
排水部の下端部に排水管の一端部に接続可能な排水管接続部が配設され、
本体の側部に、雨水貯留タンクから延びるオーバーフロー用の排水ホースの一端部が接続可能な排水ホース接続部が接続され、排水ホース接続部は、上方に開放された有底筒状の形状を有し、内部が排水部に連通し、
排水ホース接続部の内部に筒状の内筒が配設され、内筒は、排水ホース接続部の底面部から上方に延び、排水ホースの一端部の内側に挿入可能とされるとともに、本体側の側面部に内筒の内外を連通させる開口部が形成され、開口部の側縁の下側部分に、内筒の外側に突出する側縁リブが配設され、
排水ホース接続部の内部に挿入される排水ホースの一端部が、その内側に挿入される内筒と、内筒に対向して位置する排水ホース接続部の外郭部とによって保持される
ことを特徴とする排水ホース接続継手。
【請求項２】
内筒は、断面弧状の形状を有し、弧状断面に現れる開口部の離間する２つの側縁と弧の中心とを結ぶ仮想線のなす角度が１２０°以上１８０°以下であることを特徴とする請求項１に記載の排水ホース接続継手。
【請求項３】
開口部の面積が排水ホースの断面積よりも大きいことを特徴とする請求項１または２に記載の排水ホース接続継手。
【請求項４】
排水部の下側部分において、本体内部の内側に突出するリブ状の竪樋ストッパーが配設され、竪樋ストッパーの上端から上側が竪樋接続部とされ、竪樋ストッパーの上端は、側縁リブの上端よりも上方に配置されていることを特徴とする請求項１から３のいずれか一項に記載の排水ホース接続継手。
【発明の詳細な説明】
【技術分野】
【０００１】
本発明は、雨水貯留タンクからのオーバーフロー水を、竪樋を流れる雨水とともに排水管へ排水するための排水ホース接続継手に関する。
【背景技術】
【０００２】
従来、雨樋から排水される雨水を、草花や庭木などへの散水や洗車などに利用することが行われている。このような雨水の利用は、節水を可能にし、環境の保護などへ貢献している。
【０００３】
雨水を取水する装置として、たとえば特許文献１に記載された雨水取水装置が知られている。
【０００４】
上記雨水取水装置では、竪樋の中間部に雨水を分流させる分水箱が装着され、この分水箱に取水用配管を介して雨水貯留水槽が接続されている。竪樋を通って屋根から流れてきた雨水は、その一部が、分水箱を介して分流し、取水用配管を通って雨水貯留水槽に溜められる。残りの雨水は、分水箱を通った後、排水溝に直接排水される。
【０００５】
また、上記雨水取水装置では、雨水貯留水槽の上端部に越流管がその一端において接続されている。越流管の他端は排水溝に導くことができ、雨水貯留水槽が満杯になったとき、雨水貯留水槽から雨水をオーバーフローさせ、越流管を介して排水溝に排水させる。
【０００６】
越流管は、また、三又管を用いて竪樋に接続することができ、オーバーフローする雨水を竪樋に流出させた後に排水溝に排水することもできる。
【特許文献１】特開平８−８５９８２号公報
【発明の開示】
【発明が解決しようとする課題】
【０００７】
しかしながら、特許文献１は、越流管を三又管に接続する具体的な構造を開示していない。越流管は三又管にしっかり保持されていないと、雨水貯留水槽からオーバーフローする雨水の流量や流れの勢いなどによって容易に抜け外れ、漏水が発生する。このような越流管の抜け外れは、雨水貯留水槽が屋外に配置されることから、外気温にともなう越流管および三又管の伸縮や風の巻き上げなどに起因して起こりやすい。
【０００８】
また、越流管が三又管の内底面に接触するまで挿入されると、排水路が閉塞され、オーバーフロー水が越流管から三又管へスムーズに排水されないことがある。このことによっても漏水が発生する。
【０００９】
本発明は、以上のとおりの事情に鑑みてなされたものであり、雨水貯留タンクから延びるオーバーフロー用の排水ホースを排水管に容易に接続可能であり、排水ホースの接続状態を良好に保持することができ、しかも排水ホースからスムーズに排水することができる、排水ホース接続継手を提供することを課題としている。
【課題を解決するための手段】
【００１０】
本発明は、上記の課題を解決するために、以下の特徴を有している。
【００１１】
第１の発明は、竪樋より受水路を介して雨水を受水する雨水貯留タンクと、雨水貯留タンクからのオーバーフロー水を排水する溢水路とを有する雨水利用システムに組み込まれる排水ホース接続継手であって、上下に開放された筒状の本体の内部に上下方向に連通する排水部が形成され、排水部の上端部に竪樋の一端部に接続可能な竪樋接続部が配設され、排水部の下端部に排水管の一端部に接続可能な排水管接続部が配設され、本体の側部に、雨水貯留タンクから延びるオーバーフロー用の排水ホースの一端部が接続可能な排水ホース接続部が接続され、排水ホース接続部は、上方に開放された有底筒状の形状を有し、内部が排水部に連通し、排水ホース接続部の内部に筒状の内筒が配設され、内筒は、排水ホース接続部の底面部から上方に延び、排水ホースの一端部の内側に挿入可能とされるとともに、本体側の側面部に内筒の内外を連通させる開口部が形成され、開口部の側縁の下側部分に、内筒の外側に突出する側縁リブが配設され、排水ホース接続部の内部に挿入される排水ホースの一端部が、その内側に挿入される内筒と、内筒に対向して位置する排水ホース接続部の外郭部とによって保持されることを特徴としている。
【００１２】
第２の発明は、上記第１の発明の特徴において、内筒は、断面弧状の形状を有し、弧状断面に現れる開口部の離間する２つの側縁と弧の中心とを結ぶ仮想線のなす角度が１２０°以上１８０°以下であることを特徴としている。
【００１３】
第３の発明は、上記第１または第２の発明の特徴において、開口部の面積が排水ホースの断面積よりも大きいことを特徴としている。
【００１４】
第４の発明は、上記第１から第３のいずれか一つの発明の特徴において、排水部の下側部分において、本体内部の内側に突出するリブ状の竪樋ストッパーが配設され、竪樋ストッパーの上端から上側が竪樋接続部とされ、竪樋ストッパーの上端は、側縁リブの上端よりも上方に配置されていることを特徴としている。
【発明の効果】
【００１５】
上記第１の発明によれば、雨水貯留タンクから延びる排水ホースの一端部を排水ホース接続部に接続することができ、雨水貯留タンクからのオーバーフロー水を、竪樋を流れる雨水とともに排水することができる。排水ホース接続部の内部に挿入される排水ホースの一端部は、その内側に挿入される内筒と、内筒に対向して位置する排水ホース接続部の外郭部とによって保持される。このため、排水ホースの接続作業は、排水ホースを排水ホース接続部の内部に挿入するだけのワンタッチ操作であり、容易である。また、排水ホースは抜けにくく、接続状態は良好に維持される。その上、側縁リブによって排水ホースは、排水ホース接続部の底面部から上方に離れた所定位置に取り付けられるため、排水ホースを流れるオーバーフロー水を内筒の側面部に形成された開口部からスムーズに本体内部に排水することができる。
【００１６】
上記第２の発明によれば、上記第１の発明の効果に加え、内筒および排水ホース接続部の外郭部による排水ホースの保持がより確実となり、排水ホースは一層抜けにくく、接続状態が安定に維持される。
【００１７】
上記第３の発明によれば、上記第１または第２の発明の効果に加え、排水ホースを流れるオーバーフロー水の排水性能を十分に確保することができ、排水性が一層良好となる。
【００１８】
上記第４の発明によれば、上記第１から第３のいずれか一つの発明の効果に加え、竪樋接続部に接続される竪樋の一端部が、排水ホースを流れるオーバーフロー水の排水性を阻害することはなく、竪樋を流れ落ちる雨水の排水性能を十分に維持しながら、オーバーフロー水の排水性がより一層良好となる。
【図面の簡単な説明】
【００１９】
【図１】本発明の排水ホース接続継手の一実施形態を示した斜視図である。
【図２】図１に示した排水ホース接続継手の縦断面図である。
【図３】図１に示した排水ホース接続継手の平面図である。
【図４】図１に示した排水ホース接続継手の横断面図である。
【図５】図１−４に示した排水ホース接続継手が組み込まれた雨水利用システムを例示した背面図である。
【発明を実施するための形態】
【００２０】
上記のとおり、図１は、本発明の排水ホース接続継手の一実施形態を示した斜視図である。図２、図３、図４は、それぞれ、図１に示した排水ホース接続継手の縦断面図、平面図、横断面図である。
【００２１】
排水ホース接続継手１は、角筒状の本体２と、本体２の側部に接続された、筒状の排水ホース接続部３とを備えている。本体２は、上下に開放され、内部に、上下方向に連通する排水部４が形成されている。
【００２２】
排水部４の上端部には竪樋接続部５が配設されている。竪樋接続部５は、その内側に竪樋３１の一端部を挿入すること（内挿）が可能とされ、この内挿によって竪樋３１の一端部に接続される。このような竪樋接続部５は、排水部４において竪樋ストッパー６の上端から上側に配置されている。竪樋ストッパー６は、排水部４の下側部分において、本体２の内部の内側に突出して配設されたリブ状の部材であり、本体２の内部を上下方向に延びてもいる。竪樋ストッパー６は、角筒状の本体２の断面形状である略四角形の対角線上に４つ配設されている。竪樋ストッパー６は、竪樋接続部５に竪樋３１の一端部が挿入されて接続されるときに、竪樋３１の一端である下端と接触することによって、竪樋３１が竪樋ストッパー６を超えて排水部４の奥深くまで達するのを規制する。
【００２３】
このような竪樋接続部５は、角樋または丸樋のいずれの形状の竪樋に対しても接続可能となる開口寸法を有している。そして、丸樋への対応として、竪樋接続部５の上端である本体２の上端には、丸樋の外形に対応する形状および大きさの円孔７が形成された丸樋用プレート８が取り付けられる。丸樋用プレート８は、取り付けおよび取り外しが自在であり、竪樋３１が角樋である場合には取り付けられない。このように、角樋はもちろんのこと、丸樋に対しても、竪樋接続部５は接続可能であり、接続状態において竪樋３１との間に大きな隙間は生じず、ごみなどが排水部４に入り込むのが十分に抑制される。
【００２４】
排水部４の下端部には、排水管接続部９が配設されている。排水管接続部９は、円筒状とされ、排水部４の下端部から下方に延設されている。排水管接続部９は、排水管３２の一端部の内側への挿入が可能とされ、排水管３２の一端部に接続される。このような排水管３２の内側への挿入を容易とするために、排水管接続部９は、下端に向かって次第にやや肉薄とされている。
【００２５】
排水管接続部９の上端部には、本体２にスカート部１０が配設されている。スカート部１０は、本体２の外側に広がる円盤状のフランジ部１１と、フランジ部１１の外周から下方に延設された周辺部１２とから形成されている。周辺部１２の下端は、排水管接続部９の下端よりも上方に配置されている。
【００２６】
排水ホース接続部３は、上方に開放され、内部１３にオーバーフロー用の排水ホース３３の一端部が挿入によって接続可能とされている。排水ホース接続部３の上端には、排水ホース３３の外径に対応した内径を有する円孔１４が配置され、排水ホース接続部３の内部１３は排水部４に連通している。
【００２７】
また、排水ホース接続部３は、底面部１５を有する有底筒状の形状を有している。底面部１５は、本体２の側部に向かって下方に傾斜する傾斜面状に形成されている。傾斜面状の底面部１５は、排水ホース３３を流れるオーバーフロー水をスムーズに本体２の内部の排水部４に流し落とす。
【００２８】
なお、排水ホース接続部３は、排水ホース接続継手１において縦方向に延びているが、本発明の排水ホース接続継手では、排水ホースの上方からの挿入が可能であれば、排水ホース接続部は、斜めに傾斜させて本体に接続することができる。
【００２９】
そして、排水ホース接続部３には、内部１３に筒状の内筒１６が配設されている。内筒１６は、底面部１５に立設され、排水ホース接続部３の内部１３を底面部１５から上方に延びている。内筒１６は、排水ホース３３の一端部の内側に挿入可能とされ、断面弧状の形状を有している。また、上端に向かって次第にやや肉薄とされ、排水ホース３３の一端部の内側への挿入が容易とされている。このような内筒１６に対応して排水ホース接続部３では、内筒１６に対向して位置する外郭部１７が断面弧状に形成され、外郭部１７の弧状断面は、内筒１６の弧状断面と同心上に配置され、内筒１６の弧状断面の外側に、排水ホース３３の略厚さ分離れて配置されている。
【００３０】
また、内筒１６には、本体２側の側面部に内筒１６の内外を連通させる開口部１８が形成されている。開口部１８は、内筒１６の側面部の上端までの高さ範囲内に形成される。開口部１８の幅方向に位置する２つの側縁１９の下側部分には、内筒１６の外側に突出する側縁リブ２０が配設されている。側縁リブ２０は、開口部１８の下端、すなわち、排水ホース接続部３の底面部１５に立設され、開口部１８の高さ方向に延びている。
【００３１】
開口部１８の幅寸法は、たとえば、内筒１６の弧状断面に現れる開口部１８の離間する２つの側縁１９と弧の中心Ｏとを結ぶ仮想線２１のなす角度θの大きさとして規定することができ、排水ホース３３の接続との関係において１２０°≦θ≦１８０°の範囲が好ましく例示される。開口部１８の大きさについては、排水ホース３３を流れるオーバーフロー水の排水性を考慮し、開口部１８の面積は、排水ホース３３の断面積よりも大きいことが好ましい。オーバーフロー水の排水性という観点からは、竪樋ストッパー６の上端が、側縁リブ２０の上端よりもΔｈだけ上方に配置されていることが好ましい。
【００３２】
また、開口部１８の上縁２２が内筒１６の上端と同じ位置に配置される場合、内筒１６には、開口部１８の上縁２２から側縁１９の上端部にかけて略弧状に湾曲する湾曲面部２３を形成し、排水ホース３３の内側への内筒１６の挿入がスムーズに行われるようにすることができる。
【００３３】
以上の排水ホース接続継手１は、丸樋用プレート８を含め、合成樹脂などの成形品として作製することができる。
【００３４】
排水ホース接続継手１の取り付けに際しては、地表付近に配置され、地中に埋設された排水管３２の上端部を一端部として、その内側に排水管接続部９を挿入して排水管３２に接続される。竪樋３１が丸樋の場合、本体２の上端に丸樋用プレート８が取り付けられ、丸樋用プレート８に形成された円孔７を通じて竪樋３１の一端部である下端部が、竪樋接続部５に内挿される。竪樋３１が角樋の場合には丸樋用プレート８は取り付けられずに、竪樋３１の下端部が竪樋接続部５に内挿される。竪樋３１は、下端が竪樋ストッパー６に接触するまで内挿され、竪樋接続部５に接続される。
【００３５】
雨水貯留タンクから延びる蛇腹管などのオーバーフロー用の排水ホース３３は、排水ホース接続部３の上方から内部１３に挿入される。排水ホース接続部３の内部１３に挿入された排水ホース３３は、一端部である下端部の内側に内筒１６が挿入され、内筒１６と、内筒１６に対向して位置する排水ホース接続部３の外郭部１７とによって保持され、排水ホース接続部３に接続される。排水ホース３３は、内筒１６と外郭部１７との間に挟み込まれるようにして、排水ホース接続継手１に取り付けられる。この接続状態において、排水ホース３３は、側縁リブ２０によって排水ホース接続部３の底面部１５から上方に離れた所定位置に取り付けられる。
【００３６】
竪樋３１を通って流れ落ちる雨水は、竪樋接続部５から排水ホース接続継手１の本体２の排水部４に流れ込む。そして、排水部４を流下し、排水管接続部９を通じて排水管３２に排水される。一方、雨水貯留タンクからオーバーフローする雨水は、排水ホース３３を通って排水ホース接続部３の内部１３に流れ込み、開口部１８を通じて本体２の排水部４に流れ出る。そして、排水部４を流下し、排水管接続部９を通じて排水管３２に排水される。
【００３７】
このように、排水ホース接続継手１は、竪樋３１を流れる雨水および雨水貯留タンクからのオーバーフロー水をともに排水管３２に向けて排水することができる。
【００３８】
このような排水ホース接続継手１は、たとえば図５に示したように、雨水利用システム３４に組み込まれ、屋外に設置される雨水貯留タンク３５の上端部から延びる排水ホース３３の一端部が排水ホース接続部３に接続される。雨水貯留タンク３５からのオーバーフロー水は、排水ホース３３および排水ホース接続継手１を介して竪樋３１に連通する排水管３２に排水される。竪樋３１には、その排水路の途中に雨水取り出し装置３６が接続され、フィルターなどを内蔵して備える雨水取り出し部３７に、ホース３８を介して雨水貯留タンク３５が接続されている。竪樋３１を流れる雨水は、その一部が、雨水取り出し装置３６の雨水取り出し部３７から取り出され、雨水貯留タンク３５に一定量貯留される。貯留された雨水は、雨水貯留タンク３５の底部付近に備えるコックを開けることにより取り出すことができ、散水、洗車などに利用される。このように、雨水利用システム３４は、竪樋３１より受水路としてのホース３８を介して雨水を受水する雨水貯留タンク３５と、雨水貯留タンク３５からのオーバーフロー水を排水管３２に排水する溢水路としての排水ホース３３とを有して構成されている。
【００３９】
なお、雨水貯留タンク３５は、タンク本体３９と、２つの脚部４０を底部に備えた架台４１とから構成されている。タンク本体３９は、架台４１に取り付けられ、脚部４０によって架台４１のぐらつきなどを抑えて安定に支持され、地表面上に配置される。
【００４０】
排水ホース接続継手１では、上記のとおり、雨水貯留タンク３５から延びる排水ホース３３の一端部を排水ホース接続部３に接続することができ、雨水貯留タンク３５からのオーバーフロー水を、竪樋３１を流れる雨水とともに排水することができる。排水ホース接続部３の内部１３に挿入される排水ホース３３の一端部は、その内側に挿入される内筒１６と、内筒１６に対向して位置する排水ホース接続部３の外郭部１７とによって保持される。このため、排水ホース３３の接続作業は、排水ホース３３を排水ホース接続部３の内部１３に挿入するだけのワンタッチ操作であり、容易である。また、排水ホース３３は抜けにくく、接続状態は良好に維持される。その上、側縁リブ２０によって排水ホース３３は、排水ホース接続部３の底面部１５から上方に離れた所定位置に取り付けられるため、排水ホース３３を流れるオーバーフロー水を内筒１６の側面部に形成された開口部１８からスムーズに本体２の内部に排水することができる。
【００４１】
また、排水ホース接続継手１では、内筒１６の弧状断面に現れる開口部１８の離間する２つの側縁１９と弧の中心Ｏとを結ぶ仮想線２１のなす角度θを１２０°以上１８０°以下とすることによって、内筒１６および排水ホース接続部３の外郭部１７による排水ホース３３の保持がより確実となる。排水ホース３３は一層抜けにくく、接続状態が安定に維持される。
【００４２】
さらに、排水ホース接続継手１では、開口部１８の面積を排水ホース３３の断面積よりも大きくすることによって、排水ホース３３を流れるオーバーフロー水の排水性能を十分に確保することができ、排水性が一層良好となる。
【００４３】
さらにまた、排水ホース接続継手１では、竪樋ストッパー６の上端を、側縁リブ２０の上端よりもΔｈだけ上方に配置することによって、竪樋接続部５に接続される竪樋３１の一端部が、排水ホース３３を流れるオーバーフロー水の排水性を阻害せずにすむ。竪樋３１を流れ落ちる雨水の排水性能を十分に維持しながら、オーバーフロー水の排水性がより一層良好となる。
【００４４】
なお、本発明は、上記実施形態に限定されることはない。各部位の大きさ、形状などの細部については様々な態様が可能である。
【符号の説明】
【００４５】
１  排水ホース接続継手
２  本体
３  排水ホース接続部
４  排水部
５  竪樋接続部
６  竪樋ストッパー
９  排水管接続部
１３  排水ホース接続部の内部
１５  底面部
１６  内筒
１７  外郭部
１８  開口部
１９  側縁
２０  側縁リブ
２１  仮想線
３１  竪樋
３２  排水管
３３  排水ホース
３４  雨水利用システム
３５  雨水貯留タンク
【図１】
2011047180.tif 000003
【図２】
2011047180.tif 000004
【図３】
2011047180.tif 000005
【図４】
2011047180.tif 000006
【図５】
2011047180.tif 000007